【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
メタン、Ｃ２成分、Ｃ３成分およびより重質の炭化水素成分を含有するガスストリームを、揮発性の残留ガス画分と、前記Ｃ２成分、前記Ｃ３成分および前記より重質の炭化水素成分、あるいは前記Ｃ３成分および前記より重質の炭化水素成分の大部分を含有する揮発性が比較的低い画分とに分離するためのプロセスにおいて、
（ａ）前記ガスストリームを圧力下で冷却して、冷却されたストリームを提供し、
（ｂ）前記冷却されたストリームをより低い圧力まで膨張させて、それにより、さらに冷却し、
（ｃ）前記さらに冷却されたストリームを蒸留カラムに導き、前記より低い圧力で分留して、それにより、前記揮発性が比較的低い画分の前記成分を回収し、
改良として、前記冷却されたストリームを、冷却後に第１ストリームと第２のストリームとに分割し、
（１）前記第１のストリームを冷却して、前記第１のストリームの実質的にすべてを凝縮させ、その後、前記より低圧に膨張させてさらに冷却し、
（２）前記膨張し冷却した第１のストリームを加熱し、その後、上側中央カラムフィード位置において前記蒸留カラムに供給し、
（３）前記第２のストリームを前記より低い圧力まで膨張させ、前記上側中央カラムフィード位置よりも下の中央カラムフィード位置において前記蒸留カラムに供給し、
（４）前記蒸留カラムの上側領域からオーバーヘッド蒸気ストリームを抜き取り、加熱し、その後、前記加熱されたオーバーヘッド蒸気ストリームの少なくとも一部を前記揮発性残留ガス画分として排出し、
（５）前記上側中央カラムフィード位置よりも下で、前記中央カラムフィード位置よりも上の前記蒸留カラムの領域から、蒸留蒸気ストリームを抜き取り、前記膨張して冷却した第１のストリームおよび前記オーバーヘッド蒸気ストリームとの熱交換関係に導いて、前記蒸留蒸気ストリームをその少なくとも部分的な凝縮に十分となるように冷却し、これにより、残留蒸気ストリームおよび凝縮したストリームを形成し、ステップ（２）および（４）における加熱の少なくとも一部を供給し、
（６）前記凝縮したストリームの少なくとも一部を頂部フィード位置において前記蒸留カラムに供給し、
（７）前記蒸留カラムへの前記フィードストリームの量および温度は、前記蒸留カラムのオーバーヘッド温度を一定の温度に維持するために有効であり、それにより、前記揮発性が比較的低い画分中の前記成分の前記大部分を回収する、
プロセス。
【請求項２】
前記ガスストリームを十分に冷却して部分的に凝縮させ、
（ａ）前記部分的に凝縮したガスストリームを分離して、それにより蒸気ストリームおよび少なくとも１つの液体ストリームを提供し、
（ｂ）その後、前記蒸気ストリームを前記第１のストリームと第２のストリームとに分割し、
（ｃ）前記少なくとも１つの液体ストリームの少なくとも一部を前記より低圧に膨張させ、かつ前記中央カラムフィード位置よりも低い下側中央カラムフィード位置において前記蒸留カラムに供給する、
請求項１に記載のプロセス。
【請求項３】
（ａ）前記第１のストリームを前記少なくとも１つの液体ストリームの少なくとも一部と合流させて合流ストリームを形成し、その後、前記合流ストリームを冷却して実質的に全てを凝縮し、その後、前記より低圧に膨張させてさらに冷却し、
（ｂ）前記膨張し冷却した合流ストリームを加熱し、その後、前記上側中央カラムフィード位置において前記蒸留カラムに供給し、
（ｃ）前記少なくとも１つの液体ストリームのいかなる残存部分を、前記より低圧に膨張させ、前記中央カラムフィード位置より低い前記下側中央カラムフィード位置において前記蒸留カラムに供給し、
（ｄ）前記蒸留蒸気ストリームを、前記膨張し冷却した合流ストリームおよび前記オーバーヘッド蒸気ストリームとの熱交換関係に導き、それにより、前記蒸留蒸気ストリームを実質的に冷却して少なくとも一部を凝縮させ、それにより、前記残留蒸気ストリームおよび前記凝縮したストリームを形成し、それにより、前記ステップ（４）および（b）の加熱の少なくとも一部を供給する、請求項２に記載のプロセス。
【請求項４】
（ａ）前記膨張し冷却した第１のストリームを加熱し、その後、追加的なオーバーヘッド蒸気ストリームおよび底部液体ストリームを生成する接触および分離デバイスに中央カラムフィード位置において供給し、その後、前記底部液体ストリームを前記蒸留カラムに供給し、
（ｂ）前記第２のストリームを前記より低圧に膨張させ、前記中央カラムフィード位置より低い第１の下側カラムフィード位置において前記接触および分離デバイスに供給し、
（ｃ）前記蒸留カラムの上側領域から前記オーバーヘッド蒸気ストリームを抜き取り、前記中央カラムフィード位置より低い第２の下側カラムフィード位置において前記接触および分離デバイスに供給し、
（ｄ）前記追加的オーバーヘッド蒸気ストリームを加熱し、その後、前記揮発性の残留ガス画分として前記加熱した追加的オーバーヘッド蒸気ストリームの少なくとも一部を排出し、
（ｅ）前記中央カラムフィード位置より下であり、前記第１および第２の下側カラムフィード位置より上の前記接触および分離デバイスの領域から前記蒸留蒸気ストリームを抜き取り、前記膨張し冷却した第１のストリームおよび前記追加的オーバーヘッド蒸気ストリームとの熱交換関係に導き、それにより、前記蒸留蒸気ストリームを十分に冷却して少なくとも一部を凝縮し、それにより、前記残留蒸気ストリームおよび前記凝縮したストリームを形成し、それにより、前記ステップ（ａ）および（ｄ)の加熱の少なくとも一部を供給し、
（ｆ）前記凝縮したストリームの少なくとも一部を頂部フィード位置において前記接触および分離デバイスに供給し、
（ｇ）前記接触および分離デバイスに前記フィードストリームの量および温度が、ある温度において前記接触および分離デバイスの前記オーバーヘッド温度を維持するために有効であり、それにより、前記揮発性が比較的低い画分中の前記成分の前記大部分を回収するように適合される、
請求項１に記載のプロセス。
【請求項５】
前記ガスストリームを十分に冷却して部分的に凝縮し、
（ａ）前記部分的に凝縮したガスストリームを分離し、それにより蒸気ストリームおよび少なくとも１つの液体ストリームを提供し、
（ｂ）その後、前記蒸気ストリームを前記第１と第２ストリームとに分割し、
（ｃ）前記少なくとも１つの液体ストリームの少なくとも一部を前記より低圧に膨張させ、中央カラムフィード位置において前記蒸留カラムに供給する、
請求項４に記載のプロセス。
【請求項６】
（ｉ）前記少なくとも１つの液体ストリームの少なくとも一部と前記第１のストリームを合流して合流ストリームを形成し、その後、前記合流ストリームを冷却して実質的に全てを凝縮し、その後、前記より低圧に膨張させ、それによりさらに冷却し、
（ｉｉ）前記膨張し冷却したストリームを加熱し、その後、前記接触および分離デバイスに前記中央カラムフィード位置において供給し、
（ｉｉｉ）前記少なくとも１つの液体ストリームのいかなる残存部分を前記より低圧に膨張し、かつ前記中央カラムフィード位置において前記蒸留カラムに供給し、
（ｉｖ）前記膨張し冷却した合流ストリームおよび前記追加的なオーバーヘッド蒸気ストリームとの熱交換関係に前記蒸留蒸気ストリームを導き、それにより、前記蒸留蒸気ストリームを十分に冷却して少なくとも一部を凝縮させ、それにより、前記残留蒸気ストリームおよび前記凝縮したストリームを形成し、それにより、前記ステップ（ｄ）および（ii）の加熱の少なくとも一部を供給する、
請求項５に記載のプロセス。
【請求項７】
（１）前記オーバーヘッド蒸気ストリームを前記残留蒸気ストリームと合流させ、合流蒸気ストリームを形成し、
（２）前記合流蒸気ストリームを前記蒸留蒸気ストリームとの熱交換関係に導きかつ加熱し、それにより、前記蒸留蒸気ストリームの前記冷却の少なくとも一部を供給し、その後、前記揮発性の残留ガス画分として前記加熱し合流した蒸気ストリームの少なくとも一部を排出する、
請求項１、２、または３に記載の改良。
【請求項８】
（１）前記残留蒸気ストリームと前記追加的なオーバーヘッド蒸気ストリームを合流して合流蒸気ストリームを形成し、
（２）前記合流蒸気ストリームを前記蒸留蒸気ストリームとの熱交換関係に導きかつ加熱し、それにより、前記蒸留蒸気ストリームの前記冷却の少なくとも一部を供給し、その後、前記揮発性の残留ガス画分として前記加熱した合流蒸気ストリームの少なくとも一部を排出する、
請求項４、５、または６に記載の改良。
【請求項９】
前記蒸留蒸気ストリームを前記中央カラムフィード位置より下の前記蒸留カラムの領域から抜き取る、請求項１、２、３、または７に記載の改良。
【請求項１０】
（１）前記上側中央カラムフィード位置より下であり、前記中央カラムフィード位置より上にある、前記蒸留カラムの前記領域から第１の蒸留蒸気ストリームを抜き取り、
（２）前記中央カラムフィード位置より下の前記蒸留カラムの領域から第２の蒸留蒸気ストリームを抜き取り、
（３）前記第２の蒸留蒸気ストリームと前記第１の蒸留蒸気ストリームを合流させて前記蒸留蒸気ストリームを形成する、
請求項１、２、３、または７に記載の改良。
【請求項１１】
前記オーバーヘッド蒸気ストリームを、前記蒸留蒸気ストリームと追加的蒸留蒸気ストリームとに分割し、その後、前記追加的蒸留蒸気ストリームを前記第２の下側カラムフィード位置において前記接触および分離デバイスに供給する、請求項４、５、６、または８に記載の改良。
【請求項１２】
（１）前記中央カラムフィード位置より下であり、前記第１および第２の下側カラムフィード位置より上の前記接触および分離デバイスの前記領域から第１の蒸気ストリームを抜き取り、
（２）前記オーバーヘッド蒸気ストリームを、第２の蒸留蒸気ストリームと第３の蒸留蒸気ストリームとに分割し、その後、前記第２の蒸留蒸気ストリームを前記第２の下側カラムフィード位置において前記接触および分離デバイスに供給し、
（３）前記第３の蒸留蒸気ストリームと前記第１の蒸留蒸気ストリームを合流させて前記蒸留蒸気ストリームを形成する、
請求項４、５、６または８に記載の改良。
【請求項１３】
（１）前記凝縮したストリームを前記第１の部分と第２の部分とに分割し、
（２）前記第１の部分を前記頂部フィード位置において前記蒸留カラムに供給し、
（３）前記第２の部分を前記中央カラムフィード位置より下の第２の中央カラムフィード位置において前記蒸留カラムに供給する、
請求項１、２、３、７、９、または１０に記載の改良。
【請求項１４】
（１）前記凝縮したストリームを第１の部分と第２の部分とに分割し、
（２）前記頂部フィード位置において前記接触および分離デバイスに前記第１の部分を供給し、
（３）頂部フィード位置において前記蒸留カラムに前記第２の部分を供給する、
請求項４、５、６、８、１１、または１２に記載の改良。